(57)【要約】  柄（１２）中に移行するブラシ毛担体（９）を備えた化粧品アプリケータであって、ブラシ毛担体（９）は、柄によって、ハンドル（１３）と連結されていて、または、ブラシ毛担体（９）は、このブラシ毛担体（９）をこの種の柄（１２）と連結するための結合部分（１１）中に移行し、ブラシ毛担体（９）は、長さ（Ｌ）を有するそれぞれ一体的なブラシ毛（１）を複数個担持する、化粧品アプリケータにおいて、ブラシ毛（１）は、互いに対して相対的に軸対称である２つの半片（２、３）からなり、これらの半片は、それらの対称軸（４）に沿って相対的に互いに対してずれていて、かつ、一体的に互いに連結されていて、半片（２、３）のそれぞれは、ずれ面（５）中に存在する、ブラシ毛（１）の平坦な領域（６）を形成することを特徴とする、化粧品アプリケータ。
2019518529.tif 000002
【特許請求の範囲】
【請求項１】
柄（１２）中に移行するブラシ毛担体（９）を備えた化粧品アプリケータであって、前記ブラシ毛担体（９）は、前記柄によってハンドル（１３）と連結されていて、または、前記ブラシ毛担体（９）は、前記ブラシ毛担体（９）をこの種の柄（１２）と連結するための結合部分（１１）中に移行し、前記ブラシ毛担体（９）は、長さ（Ｌ）を有するそれぞれ一体的なブラシ毛（１）を複数個担持する、化粧品アプリケータにおいて、前記ブラシ毛（１）は、互いに対して相対的に軸対称である２つの半片（２、３）からなり、前記半片は、前記半片の対称軸（４）に沿って相対的に互いに対してずれていて、かつ、一体的に互いに連結されていて、前記半片（２、３）のそれぞれは、ずれ面（５）中に存在する、前記ブラシ毛（１）の平坦な領域（６）を形成することを特徴とする、化粧品アプリケータ。
【請求項２】
前記ブラシ毛（１）は、その根元からその頂点に向かって常に先細りすることを特徴とする、請求項１に記載の化粧品アプリケータ。
【請求項３】
前記双方の半片（２、３）の前記頂点が互いに隣に並んでいるように、前記双方の半片（２、３）は、前記双方の半片の対称軸（４）に沿って互いに対して相対的にずれていることを特徴とする、請求項２に記載の化粧品アプリケータ。
【請求項４】
請求項１に記載されたように造形された前記ブラシ毛（１）は、共に前記アプリケータのブラシ毛先を形成する前記ブラシ毛（１、１０）の一部分のみを占めることを特徴とする、請求項１〜３のいずれか１項に記載の化粧品アプリケータ。
【請求項５】
前記半片（２、３）は四角錐半片または円錐半片であることを特徴とする、請求項１〜４のいずれか１項に記載の化粧品アプリケータ。
【請求項６】
前記ブラシ毛は、互いに対して相対的に軸対称である２つの四角錐半片からなり、前記半片は、相対的に互いに対してずれていなければ、三角形、正方形、長方形、ひし形形状または六角形の基面を有することを特徴とする、請求項５に記載の化粧品アプリケータ。
【請求項７】
仮定の平面図の外側輪郭線が角で出合う縁は、面取りされていることを特徴とする、請求項５または６に記載の化粧品アプリケータ。
【請求項８】
前記ブラシ毛は、互いに対して相対的に軸対称である２つの円錐半片からなり、前記円錐半片は、相対的に互いに対してずれていない場合には、円形、長円、楕円、アーモンド形状またはモモ形状の基面を有することを特徴とする、請求項１〜４のいずれか１項に記載の化粧品アプリケータ。
【請求項９】
前記四角錐半片または前記円錐半片のずれにより生じる縁（１４）は、鋭角であり半径（ＲＡ）が０．０１ｍｍ以下で互いに中に移行することを特徴とする、請求項１〜８のいずれか１項に記載の化粧品アプリケータ。
【請求項１０】
前記ブラシ毛担体（３）の末端は、その自由端面で端面ブラシ毛が付けられていることを特徴とする、請求項１〜９のいずれか１項に記載の化粧品アプリケータ。
【請求項１１】
前記端面ブラシ毛の縦軸（ＬＳ）は、前記ブラシ毛担体（９）の縦軸と３５°未満の角度をとることを特徴とする、請求項１〜１０のいずれか１項に記載の化粧品アプリケータ。
【請求項１２】
前記アプリケータの前記縦軸（ＬＡ）がある平面中には、少なくとも４つの前記端面ブラシ毛の前記縦軸（ＬＳ）も存在することを特徴とする、請求項１１に記載の化粧品アプリケータ。
【請求項１３】
請求項１〜１２のいずれか１項に記載の柄（１２）中に移行するブラシ毛担体（９）を備えた化粧品アプリケータであって、前記ブラシ毛担体（９）は、前記柄によってハンドル（１３）と連結されていて、または、前記ブラシ毛担体（９）は、前記ブラシ毛担体（９）をこの種の柄（１２）と連結するための結合部分（１１）中に移行し、前記ブラシ毛担体（９）は、長さ（Ｌ）を有するそれぞれ一体的なブラシ毛（１）を複数個担持する、化粧品アプリケータにおいて、前記ブラシ毛（１）は、全長（Ｌ）に渡って、１つの平面（５）中で相対的に互いに対してずれている２つの部分からなるブラシ毛断面を有することを特徴とする、化粧品アプリケータ。
【請求項１４】
化粧品アプリケータシステムであって、化粧品貯蔵容器と、前記化粧品貯蔵容器中に貯蔵保存されたマスカラ組成物の造形での化粧品組成物と、掻き落とし器と、アプリケータとを具備し、前記アプリケータは、利用されていない状態では、前記掻き落とし器を通って前記化粧品容器中に押し入れられていて、かつ貯蔵された化粧品中に浸っていて、塗布の目的で前記掻き落とし器を通過して、前記化粧品貯蔵容器から引き出され、処理されるべき箇所に近づけられうる、化粧品アプリケータシステムにおいて、前記アプリケータが、請求項１〜１３のいずれか１項に記載のアプリケータであることを特徴とする、化粧品アプリケータシステム。
【請求項１５】
ブラシ毛用凹部（１５）を備え、前記ブラシ毛用凹部のそれぞれ１つが１つのブラシ毛（１）を形成する、化粧品アプリケータ製造用の射出成形金型であって、前記射出成形金型は、複数の扇形状の成形部品（１６、１７）に分けられ、前記成形部品は放射状方向に互いから離れて動くことができ、これにより前記射出成形金型を用いて射出成形されたアプリケータを離型でき、第１および第２扇形状の成形部品（１６、１７）は、その平坦な側面（１８、１９）で、分離面に沿って互いに対して当接していて、かつ、ブラシ毛列用の凹部（１５）を形成するが、これは、前記各凹部の第１半片が、第１扇形状成形部品（１６）中に形成されていて、かつ、前記凹部の第２半片が、第２扇形状成形部品（１７）中に形成されていることにより行われる、射出成形金型において、全体で１つのブラシ毛（１）を形成する各凹部（１５）の前記第１半片および前記第２半片は、前記分離面に沿う方向で相対的に互いに対してずれて位置付けられていて、部分的に重複することを特徴とする、射出成形金型。
【請求項１６】
全体で１つのブラシ毛（１）成形する前記各凹部（１５）の前記第１半片および前記第２半片は、前記ブラシ毛用凹部（１５）の１つの半片がブラシ毛根元において前記分離面に対して平行の方向に有する伸張の１／５以上、かつ理想的には少なくとも１／４以上の長さで相対的に互いに対してずれていることを特徴とする、請求項１５に記載の射出成形金型。
【請求項１７】
前記射出成形金型は、請求項１〜１４の１つまたは複数に記載の化粧品アプリケータを形成するように作られていることを特徴とする、請求項１５または１６に記載の射出成形金型。
【発明の詳細な説明】
【技術分野】
【０００１】
本発明は、請求項１の前提部に記載の化粧品アプリケータ、対応する化粧品アプリケータシステムおよび対応する化粧品アプリケータを製造するための射出成形金型に関する。
【背景技術】
【０００２】
化粧品アプリケータの塗布挙動は、塗布されるべき化粧品の化粧品アプリケータへの装填をいかに良好に調整可能かに決定的に影響される。この点は、とりわけ本願で取り上げるような化粧品アプリケータについて該当するが、このアプリケータは、塗布のために化粧品容器中に、およびそこにある化粧品中に差し込まれて保管されていて、その後、化粧品容器から引き抜かれ、掻き落とし器を通過し、塗布のために必要とされる装填がなされて準備されうる。
【０００３】
通常、化粧品アプリケータの装填は、化粧品の流動学的な特性および／またはブラシ毛先の密度、ならびに、ブラシ毛先と掻き落とし器との間の相互作用を介して調整するように試みられる。この点は、使われる化粧品に応じて、全般的にすでに非常に良好に達成されている。
【０００４】
しかし、いまだ改良の必要性がある。
【０００５】
この点は、とりわけ塗布されるべき化粧品がマスカラ組成物である場合に該当するが、この理由は、まさにマスカラ塗布の場合には、極めて高い要件があるからである。一方では、可能な限り一度の挿入でまつげへのマスカラの塗布を完了できるようにするべきである。他方では、個々のまつげが接着し合わないようにするためには、マスカラアプリケータは突出した分離特性を有するべきである。さらに、しばしば、マスカラアプリケータには、いわゆるカール能力が要求され、すなわち、まつげに魅力的な湾曲を付ける能力が要求される。
【０００６】
従来技術では、化粧品・マスカラアプリケータ用にすでに、ある輪郭を持ったブラシ毛が提案されている。これに関して独国出願公開１０２  １２  ７０１  Ａ１号を参照されたい。
【０００７】
しかし、この出願で提案された輪郭を持ったブラシ毛は、アプリケータの製造時に例外なく困難が生じる。この理由は、この出願で示された輪郭を持ったこのブラシ毛は、その製造後に、金型から確実に取り外すことができないことがよくあるからである。射出成形金型中で凝固されたが、まだ温かいプラスチック組成物が、射出成形金型を開いた際に、輪郭を持つ領域中で、十分迅速にブラシ毛を形成する凹部の壁から外されず、凹部から妨げられることなく引き抜くことができない場合に、少なくとも若干数のブラシ毛がちぎれることが時折生じる。
【発明の概要】
【発明が解決しようとする課題】
【０００８】
これに対して、本発明の課題は、掻き落とし後の量を設計者が正確に調整でき、なおかつ製造上問題のないブラシ毛先を備えるアプリケータを提供することである。
【課題を解決するための手段】
【０００９】
この問題の解決は、請求項１の手段により行われる。
【００１０】
請求項１により提案しているのは、柄中に移行するブラシ毛担体を備えた化粧品アプリケータであって、このブラシ毛担体は、柄によってハンドルと連結されていて、または、このブラシ毛担体は、このブラシ毛担体をこの種の柄と連結するための結合部分中に移行する。
【００１１】
ブラシ毛担体は、全長がＬのそれぞれ一体的なブラシ毛を複数個担持する。ブラシ毛は、それぞれ互いに対して相対的に軸対称である２つの半片からなり、すなわち、対応する仮定の半片からなる。これらの双方の半片は、その対称軸がある平面に沿って相対的に互いに対してずれている。これらの半片は（それ自体）仮定的な性質のみのものであるが、一体的に互いに連結されていて、これにより全体を形成する。半片のそれぞれは、ブラシ毛において、ずれ面中に存在する平坦な領域を形成する。
【００１２】
この種の幾何学的形状により、ブラシ毛の側面に沿って、ブラシ毛縦軸に対して平行な方向にくぼみを有する統合的なブラシ毛ができ、このブラシ毛を化粧品貯蔵容器に浸すことにより、このくぼみが化粧品で充填され、化粧品は、掻き落とし器を通過する際にも実質的に引き剥がされることなく、ブラシ毛のくぼみに残る。双方の半片がずれ面に沿って相対的に互いに対してどれだけの量だけずれているかに応じて、このくぼみは、設計者によって多少なりとも特徴づけられて造形されうる。
【００１３】
同時にこの種のブラシ毛は、単純にかつ明らかに欠陥の危険性を低減して製造しうる。
【００１４】
好適な構成可能性
理想的には、ブラシ毛担体は、それぞれ一体的なブラシ毛を複数個担持し、ブラシ毛は、全長Ｌに渡って、１つの平面中で相対的に互いに対してずれている２つの部分からなるブラシ毛断面を有する。
【００１５】
好ましくは、ブラシ毛はその根元からその頂点に向かって常に先細りする。理想的な場合には、ブラシ毛の被包面は、いずれの箇所でもブラシ毛の縦軸Ｌに対して７．５°以下の角度を採る。
【００１６】
さらに、好ましくは、双方の半片の頂点が少なくとも３０％の面積で接触するように、双方の半片が双方の半片の対称軸に沿って互いに対して相対的にずれているように、ブラシ毛は構成されている。これによりひとつにまとまった頂点ができ、これにより、まつげが２つの離れた頂点間にある狭い間隙中で挟まれて、アプリケータの使用時に、意図しない引っ張られた印象をまつげに生じさせることが防がれる。
【００１７】
理想的には、ブラシ毛は、互いに対して軸対称である２つの四角錐半片からなる。対応する四角錐は、互いに対してずれていないと仮定すれば四角錐半片からなるが、正方形、長方形、ひし形形状または六角形の基面を有する。この種のブラシ毛は、塗布の枠組内で特に好都合である剛性と、好都合である湾曲挙動を示し、同時に特に単純に、本発明による平面は、ブラシ毛半片が互いに対してずれて配置されるブラシ毛間に形成されうる。
【００１８】
あるいは、応用例によっては、ブラシ毛は、互いに対して軸対称である２つの円錐半片からなり、この円錐半片は、相対的に互いに対してずれていない場合には、円形、長円、楕円、アーモンド形状またはモモ形状の基面を有する場合に好都合でありえる。
【００１９】
四角錐半片または円錐半片のずれにより生じる縁は、鋭角であり、好ましくは半径（ＲＡ）０．０１ｍｍ以下で互いに中に移行する場合に、ブラシ毛はまつげと特に良好に相互作用できる。
【００２０】
特に好適であるのは、ブラシ毛担体の末端は、その自由端面で端面ブラシ毛が付けられている場合である。理想的には、アプリケータの縦軸もある平面中に、少なくとも４つの端面ブラシ毛の縦軸がある。アプリケータの縦軸の平面中には、理想的な場合には、アプリケータを端面で前面からまつげの弓形に近づける場合にまつげを梳くために特に良好に適しているブラシ毛からなる扇形が張られている。
【００２１】
本発明によるブラシ毛を製造するために採用される射出成形金型
【００２２】
続いて、ブラシ毛用凹部を備えた、化粧品アプリケータを製造するための射出成形金型について独立的に保護を請求する。
【００２３】
本発明によるブラシ毛を製造するためには、特別な設計に基づいて、まず以下のように造形された射出成形金型を採用することができるが、すなわち、
本発明による射出成形金型はブラシ毛用凹部を形成し、これらのブラシ毛用凹部のそれぞれ１つが１つのブラシ毛を形成する。この射出成形金型は、複数の扇形状の成形部品に分けられている。これらの成形部品は放射状方向に互いから離れて動くことができ、これにより、これ以前に射出成形金型を用いて射出成形されたアプリケータを離型できる。この際、第１および第２扇形状の成形部品が、その平坦な側面で、分離線に沿って射出成形金型の縦軸に平行に互いに対して当接していて、かつ、アプリケータ縦軸に対して平行に延在するブラシ毛列用の凹部を形成するように射出成形金型が造形されている。これは、各凹部の第１半片が、第１扇形状成形部品中に形成されていて、かつ、凹部の第２半片が、第２扇形状成形部品中に形成されていることにより行われる。全体で１つのブラシ毛を形成する各凹部の第１半片および第２半片は、分離面の方向で相対的に互いに対してずれて位置付けられていて、すなわち、成形部品の間の分離面は、ここでずれ面５に相当する。これらの双方の半片は、ここで部分的に重複する。これは、射出成形金型の、側面で互いに対して当接する第１および第２の扇形状の双方の成形部品が、上述の各ブラシ毛を共に形成することを意味する。確実に成形可能にするためには、双方の扇形状の成形部品が放射状方向に互いから離れて少し動く場合に十分であり、これにより、これらの成形部品は、すぐに各ブラシ毛から外れる。それぞれこのようにしてブラシ毛を得る双方のノッチないしくぼみは、成形時に問題を呈しない。この理由は、ノッチないしくぼみが、第１扇形状の成形部品と第２扇形状に成形部品との間のまさに分離箇所中で、すなわち、型を開く際に互いから離れて動く領域中にあり、したがってブラシ毛がすぐに放たれるからである。
【００２４】
その他
別途作られた請求項に依存せず、本発明によるブラシ毛を備えた化粧品アプリケータの使用について独立して特許請求を行う、すなわち、化粧品アプリケータを化粧品貯蔵容器中に浸し、かつ、この化粧品アプリケータを化粧品貯蔵容器から掻き落とし器を通って引き抜くことにより化粧品組成物を取り、かつ化粧品アプリケータを用いて扱われるべきまつげのところに運び、そこで、少なくとも部分的に放たれることを特徴とする化粧品アプリケータの使用について、独立的に保護請求する。
【００２５】
同様に、独立的に保護請求をするのは、化粧品アプリケータシステムであって、化粧品貯蔵容器と、この化粧品貯蔵容器中に貯蔵保存された好ましくはマスカラ組成物の造形での化粧品組成物と、掻き落とし器と、アプリケータとを具備し、このアプリケータは、利用されていない状態では、掻き落とし器を通って化粧品容器中に押し入れられていて、かつ貯蔵された化粧品に浸っていて、塗布の目的で、掻き落とし器を通過して、化粧品貯蔵容器から引き抜かれ、処理されるべき箇所に近づけられうる、化粧品アプリケータシステムにおいて、アプリケータが、本願の請求項のいずれか１項に記載のアプリケータであることを特徴とする、化粧品アプリケータシステムについてである。
【００２６】
同様に独立保護請求もするが、請求項１を引用することなく、従属請求項に関連付けた請求をするのは、柄中に移行するブラシ毛担体を備えた化粧品アプリケータであって、このブラシ毛担体は、柄によってハンドルと連結されていて、または、ブラシ毛担体は、このブラシ毛担体をこの種の柄と連結するための結合部分中に移行し、このブラシ毛担体は、長さを有するそれぞれ一体的なブラシ毛を複数個担持する、化粧品アプリケータにおいて、ブラシ毛は、全長に渡って、１つの平面中で相対的に互いに対してずれている２つの部分からなるブラシ毛断面を有することを特徴とする、化粧品アプリケータについてである。
【００２７】
同様に、ブラシ毛担体の末端には、その自由端面で端面ブラシ毛が付けられていることを特徴とする、化粧品アプリケータについて独立保護請求をする。
【００２８】
本発明のさらなる作用、構成可能性および利点は、次に列挙する図に基づいた実施形態の説明から明らかになる。
【図面の簡単な説明】
【００２９】
【図１】本発明の意味合いでブラシ毛との用語の下で理解される物を抽象的全般的に示した図である。
【図２】本発明によるアプリケータ用の本発明によるブラシ毛を全面の上方から見た図である。
【図２ａ】化粧品組成物が充填された状態での図２に記載のブラシ毛を示した図である。
【図３】図２に記載のブラシ毛を側方から見た透視図である。
【図４ａ】図２に記載のブラシ毛を備えた化粧品アプリケータ全体が第１ねじり位置にある場合の実施形態を示す図である。
【図４ｂ】図４ａの細部の拡大図である。
【図５ａ】図２に記載のブラシ毛を備えた化粧品アプリケータ全体が第２ねじり位置にある場合の実施形態を示す図である。
【図５ｂ】図５ａの細部の拡大図である。
【図６】本発明によるブラシ毛ないしアプリケータを製造するために用いられる射出成形金型の細部を示す図である。
【図７】柄およびハンドルを備えた本発明によるアプリケータの全体図である。
【発明を実施するための形態】
【００３０】
図１は、予めまず、本発明の意味合いでの概念であるブラシ毛の下で好適に理解される物について示すが、本発明によるブラシ毛の輪郭付けはまだ具体的に示していない。
【００３１】
この図によると、ブラシ毛は、細く、完全にまたは実質的に完全にブラシ毛担体から放射状方向に外側に突出するプラスチック製の湾曲ロッドである。
【００３２】
ブラシ毛の最大の伸張ＦＤは、その根元の領域では好ましくは０．０１ｍｍ〜０．０６ｍｍである。ここでは、ブラシ毛の根元領域とは、ブラシ毛担体に接する位置に最も密接していて、さらに妨げられることなく、すなわちブラシ毛がブラシ毛担体中に移行しうる角を丸めた部分の上方にある領域のことを称する。図１も参照。
【００３３】
ブラシ毛縦軸Ｌに沿ったブラシ毛の長さは、ブラシ毛の根元領域中のブラシ毛の最大伸張ＦＤよりも、好ましくは少なくとも係数５、より良くは少なくとも係数７だけ長い。
【００３４】
典型的には、ブラシ毛が、塗布時に生じる力により、その基部根元点ＬＦに対して、柔軟弾性的にそのブラシ毛縦軸を横断する方向で（負荷がかかっていない状態に比較して）量Ａだけ偏向することができ、この量が、根元領域中のブラシ毛の最大伸張ＦＤに対して、少なくとも４倍、より良くは少なくとも６倍に相当するように、このブラシ毛は弾性を有する。
【００３５】
ブラシ毛の根元点領域中のブラシ毛の最大の伸張ＦＤは、好ましくは０．０１ｍｍ〜０．０６ｍｍである。
【００３６】
ブラシ毛は、本発明による意味合いでは、通例射出成形により作られる。射出成形は、この際、製造方法であるのみならず、ブラシ毛にその物理的な形状を押し付ける。射出成形されたブラシ毛は、射出成形凹部がそもそも非常に狭いブラシ毛の領域中でさえも、プラスチック分子鎖が特別な方法で縦方向に方向づけられ、大部分が解かれていることを特徴とする。これにより、得られるブラシ毛は、良好な弾性特性を有し、特に良好な湾曲復元挙動を有する。
【００３７】
これにより、ブラシ毛は掻き落とし器を通過し、この際にこの掻き落とし器により折り曲げられても、このブラシ毛は再びまっすぐになり、その元の位置を採ることができるようになる。
【００３８】
図７は、本発明によるアプリケータが、その好適な形態で全体としてどのように見えるかを予め示したものである。
【００３９】
この後すぐにより詳しく説明するブラシ毛１が付けられる、大概円筒状であるブラシ毛担体９は、好適にはその結合部分１１を介して柄１２と連結されている。このブラシ毛担体９は縦軸を有し、この縦軸は、ブラシ毛担体の円筒軸に相当する。柄１２は、大概少なくとも部分的に管として実施されているが、その縦軸は、好適にはブラシ毛担体９の縦軸（円筒軸）と一致している。柄１２はハンドル１３中に移行し、このハンドルは、通例同時に化粧品容器の閉じキャップないし蓋を形成する。
【００４０】
図２は、特別な断面形状を示すが、本発明によるブラシ毛はこの断面形状を特徴とする。
【００４１】
図２は、この種のブラシ毛を上方から見た図であり、図３は、この種のブラシ毛を横側から見た透視図である。
【００４２】
十分認識できるように、ブラシ毛１は、第１半片２と第２半片３とからなる。双方の半片は、それらが出合う箇所で、互いに一体的に中に移行する。これらの半片は、これにより一つの塊からなる一つにまとまったブラシ毛を形成する。双方の半片は、ブラシ毛を形成する射出成形金型のプラスチック組成物が冷えることにより製造される。これらの半片は、したがって共に鋳造されたもので、後の時点で互いに連結されたのではない。これらの間には、したがって、間隙および解きうる分割線または溶接線は存在しない。
【００４３】
双方の半片２および３は、仮定上の対称軸４に対して軸対称であり、すなわち、ずらさないと仮定して、対称軸４を中心にして映すと、ブラシ毛１の第１半片２の断面と、ブラシ毛の第２半片３の断面とが一致することを特徴とする。例えば許容誤差によるわずかな位置的なずれは無視する。
【００４４】
図３に基づけば最もよくわかるように、いわゆるずれ面５を定義することができ、これは、図２で示される対称軸４が存在する平面である。ブラシ毛の双方の半片２および３は、仮定上ずれ面５に沿って相対的に互いに対してずれていて、通例ブラシ毛１の全長で、その縦軸Ｌに沿って相対的に互いにずれている。上述からすでに明らかであるように、ブラシ毛に関するこのずれは、観念上のみのもので、形状を形成する際に構造上、射出成形金型のブラシ毛の半片を形成する双方の凹部部分が、製造時にずれて位置付けられて取り付けられていることにより実施されたものである。
【００４５】
ブラシ毛１の双方の半片２と３との間のこの相対的なずれにより、各ブラシ毛における２つの対向する箇所において、ある平坦な領域ないし平面６が生じるが、ここでは、このずれがゆえに、対応する半片２はもはや対向する半片３と当接しない。この平面は、通例ブラシ毛の全長ないし少なくとも９０％の長さで見られ、かつブラシ毛根元からブラシ毛頂点までおよび大概ブラシ毛担体に対して相対的にまさに放射状方向で方向付けられている。これにより、この平面６は、まつげの頂点が平面６に当たるとすぐに、ブラシ毛間でブラシ毛先に正接方向で押し入れられるまつげを止め、かつ湾曲させる。このことで、本発明によるブラシ毛が組成物を載せる程度について、著しく良い影響を及ぼすことができる。
【００４６】
ブラシ毛はその根元からその頂点に向かって先細るので、ブラシ毛縦軸Ｌに垂直の方向でブラシ毛根元からブラシ毛頂点へ向かうこの平面６の伸張は、好適には常に低減する。
【００４７】
好適には平面６がブラシ毛のより大きな２つの側面を連結する一方、より小さな側面はさらに離れて存在する。図２参照。
【００４８】
上述のずれにより、図２によれば、各ブラシ毛１において対向する２つの側面において、（縦軸に沿った方向でこの縦軸に対して大概５°以下の傾斜角度で）延在するノッチないしくぼみ７が生じる。このくぼみ７は、ブラシ毛が掻き落とし器を通過した後でもまた化粧品組成物８で充填されていて、これは、図２ａに示す通りである。
【００４９】
ブラシ毛半片２、３のずれにより生じるブラシ毛縁１４が鋭角である場合、特に好都合であることは明らかである。ここのブラシ毛縁を形成するブラシ毛の表面の半径がＲＡ０．００１ｍｍ以下で互いに中に移行する場合に、いずれにしてもこうなる。
【００５０】
顕著であるのは、図面に基づくと、双方の半片の頂点が、対称軸４に沿った断面を有する長さの少なくとも３０％で重複するように、双方の半片２、３がずれ面５ないしその対称軸４に沿って、相対的に互いに対してずれていると認識できる点である。
【００５１】
これ以外の応用例では、ブラシ毛頂点がもはや出合わず、各ブラシ毛が二重頂点を有し、双方のブラシ毛半片が、二重頂点の下方で初めて出合い、そこで一体的に互いに中に移行するように、ブラシ毛の双方の半片が広く互いに対してずれることが特に好都合でありえる。二重頂点の間隙の間では、組成物が貯蔵され、この間隙を用いて、例えばカールを実施するために、まつげが掴まれないし挟まれうる。
【００５２】
特に好適なある実施形態では、本発明によるブラシ毛は、それぞれ四角錐の形状を有する。この四角錐は、（仮定的にずらす前には）好ましくはひし形形状の平面図を有し、この際、好適にはひし形の双方の鋭角の角は面取りされている。
【００５３】
図４ａ、４ｂおよび５ａ、５ｂは、アプリケータ全体を示し、本発明によるブラシ毛がこの上にいかに配置されているかを認識しうる。
【００５４】
アプリケータは、ブラシ毛担体９からなる。このブラシ毛担体から、ブラシ毛１および１０が放射状方向に、好ましくは正確に放射状方向に突出する。第１実施形態では、ブラシ毛１、１０とブラシ毛担体９とは、同じ材料からなり、これらは、一体的に互いに連結されているが、この理由は、これらが通例１つの作業工程において１つの射出成形過程により製造されているからである。
【００５５】
ここで見て取れるように、ブラシ毛担体９は、この場合結合部分１１中に移行する。この結合部分は、柄１２と連結するために機能し、柄の方はハンドル１３中に移行し、これは、図７で示唆して図示されている通りである。
【００５６】
さらに顕著であるのは、アプリケータの周囲方向から見て、ブラシ毛１がここで記載された特別な断面と、そうではなく造形されたブラシ毛１０とを交互に備えている点である。
【００５７】
この実施形態では、特に好適な場合には、本発明による断面を備えたブラシ毛１の列が少なくとも３つ設けられているが、これらの列はブラシ毛担体９の直径方向で対向する２つの側で、アプリケータ縦軸ＬＡの方向に平行である。図４ａ、４ｂ参照。アプリケータを９０°回転させると、図５ａ、５ｂに示すような図となり、ここで記載するような特に好適な実施形態においては、従来のブラシ毛１０が、ブラシ毛担体９の直径方向で対向する側で、縦軸ＬＡに対して平行な少なくとも３つの列を形成することが見て取れる。
【００５８】
このようにして生じたブラシ毛先の異なる領域には、異なる機能がある。本発明による特別なブラシ毛の複数の列が存在する部分は、化粧品組成物ないしマスカラ組成物をまつげ上に塗布するために役立つ。まつげに必要な量のマスカラ組成物が付けられると、利用者は、アプリケータを９０°回転し、その後、従来のブラシ毛１０を用いて、必要な梳き作用を行い、および／またはカールを行い、これを、さらに多くの追加的な組成物塗布を甘受することなく行うことができる。
【００５９】
合目的には、本発明により造形されたブラシ毛は、ブラシ毛の一部分のみを占め、これは、ブラシ毛担体の周囲面でアプリケータの主ブラシ毛先を形成する。これにより、アプリケータないしそのブラシ毛先がいずれのねじり位置でまつげの弓形に近づくかに応じて、アプリケータにゾーン毎に明らかに異なる塗布特性を付与することが可能になる。組成物の貯蔵能力が高い本発明によるある輪郭を持ったブラシ毛は、まつげを、まず必要な量のマスカラ組成物で被覆するために機能する。その後、アプリケータを回転させ、これにより、明らかにより少ない量のマスカラ組成物が付着された従来のブラシ毛で、まつげの弓形を櫛で梳く、ないしカールする。
【００６０】
ブラシ毛半片が四角錐半片または円錐半片として造形されている場合、特に好都合であることは明らかである。この際、四角錐とは、多角形の基面の上に突出し、多角形形状の基面により予め決められた縁を基本的に維持しつつ、その頂点に向かって上方方向へ先細りする造形物を指す。大きな主要面が互いに出合う縁のみは、それとして際立たず、角が丸められて形成されていて、したがって、もはや鋭角の縁を形成してはいない、図２および３参照。
【００６１】
互いに対して相対的に軸対称である双方の四角錐半片が、相対的に互いに対してずれていないと仮定したとき、正方形、長方形、ひし形形状または六角形の基面を有する場合、特に好都合であることは明らかである。
【００６２】
あるいは、ブラシ毛は、互いに対して相対的に軸対称である２つの円錐半片からなり、これらの円錐半片は相対的に互いに対してずれていないと仮定したとき、円形、長円、楕円、アーモンド形状またはスモモ形状の基面を有しうる。
【００６３】
さらに注記すべき点は、特に好都合でありうるのは、グリップとは逆側の、アプリケータの末端面に、追加的に端面ブラシ毛を付けることである。図７と図５ａとを比較すると明らかであるように、端面ブラシ毛先は、好ましくは少なくとも１つのブラシ毛列からなるが、これは、一列で前後に並ぶブラシ毛からなる扇形を形成している。好ましくは少なくとも８つのブラシ毛がこの扇形のブラシ毛列を形成する。少なくとも１６０°の角度で端面を回って伸張するような列を形成するように、このブラシ毛は立てられている。理想的には、このブラシ毛列は、この際にアプリケータの中央縦軸ＬＡを横断する。理想的にはこのブラシ毛列には、両側で一列に、縦軸ＬＡに平行にブラシ毛担体の周囲で立てられているブラシ毛列が続いている。特に好都合であるのは、このブラシ毛列の横の両側で、それぞれまださらに１つの扇状のブラシ毛列が伸張していて、そのブラシ毛が、最初に挙げたブラシ毛列の縦軸に対して、それぞれ少なくとも２０°傾斜しているような縦軸を有し、その結果、中央ブラシ毛扇部では、それぞれ左右に外側に、中央ブラシ毛扇部から離れた扇状ブラシ毛が続く場合である。
【００６４】
ここまでで述べた実施形態では、ブラシ毛担体、結合部分およびブラシ毛が、一体的に同じプラスチック組成物から射出成形されている。
【００６５】
これに代わる実施形態であって、ここでは図面では提示していない実施形態は、等しい造形のアプリケータからなるが、この場合棒状のブラシ毛担体は、別のプラスチック材料からなり、ブラシ毛を形成するプラスチック組成物と共に射出成形される。ブラシ毛を形成するプラスチックは、したがってブラシ毛担体上に射出される。ブラシ毛は、ひいては通例棒状ブラシ毛担体のプラスチック材料よりも柔軟性のあるプラスチック材料からなる。
【００６６】
さらなる代替となる実施形態は、棒状で、内側が中空であるブラシ毛担体を用い、その壁厚は薄く、これにより、ブラシ毛担体の内側中空空間中に注入される第２プラスチック組成物が、ブラシ毛担体の壁を外側に向かって打ち破り、これにより、ブラシ毛担体を取り囲むブラシ毛用凹部中に入り込み、そこで、この凹部がブラシ毛を形成することを特徴とする。この実施形態でもブラシ毛は、ひいては通例棒状のブラシ毛担体のプラスチック材料よりも柔軟性のあるプラスチック材料からなる。
【００６７】
最後に、これも代替的なある実施形態は、アプリケータがサンドイッチ射出成形で製造されることを特徴とする。まず、射出成形金型中に第１プラスチック組成物を注入するが、これはブラシ毛を形成する組成物である。第２工程では第２プラスチック組成物を注入するが、これは、まだ凝固されていない第１プラスチック組成物中に入れられる。このようにして、通例第１プラスチック組成物より硬い第２プラスチック組成物が、ブラシ毛担体を（および、場合によっては結合部材も）形成し、このブラシ毛担体は端面およびその周囲で第１プラスチック組成物により覆われている。
【００６８】
本発明によるブラシ毛の造形は、この種のアプリケータの製造に採用される射出成形金型に対して特に好都合に作用するが、これは、図７で細部を示している通り、この図はブラシ毛根元側からブラシ毛用凹部１５中を見た図である。
【００６９】
この種の射出成形金型は、この種のブラシ毛用凹部１５をいくつか有するが、この凹部のそれぞれが、プラスチック組成物の射出後に、ブラシ毛１を形成する。
【００７０】
この際、射出成形金型は、大概複数の扇形状の成形部品１６、１７に分割され、これらの部品が放射状方向で互いから離れて動かされ、これにより射出成形金型を用いて射出成形されたアプリケータが離型可能になるが、この点は、ここでは個々には図面で提示していない。
【００７１】
第１および第２成形部品１６、１７は、その平坦な側面１８、１９で、分離面に沿って、閉じられた形態では互いに対して密に当接している。これらは、ともになって各ブラシ毛用のブラシ毛用凹部１５を形成している。ブラシ毛列用の凹部は、分離面５に沿って配置されていて、ここでは、図面の面に対して垂直の方向で延在している。
【００７２】
本発明による各ブラシ毛用に、このブラシ毛用凹部の１つの半片が第１成形部品中で形成されていて、かつ凹部の第２半片が第２成形部品中で形成されていることにより、ブラシ毛用凹部が形成される。凹部の各半片は、ブラシ毛根元の側のみならず、双方の成形部品が互いに対して当接している分離面の側でも開いている。全体として１つのブラシ毛を形成する各凹部の第１および第２半片は、分離面に沿って相対的に互いに対してずれて位置付けられ、かつ、部分的に重複する。このようにして、一方の成形部品中にある凹部の各半片は、他方の成形部品中でこれに割り当てられた凹部の別の半片と共に、１つの完全なブラシ毛用凹部を形成し、これは、ブラシ毛根元の側でのみ開いていて、および、場合によっては、ブラシ毛頂点の側で換気開口を有する。
【００７３】
ブラシ毛を射出した後、成形部品１６および１７を、移動用部品を用いて、閉じられた状態では互いに対して当接している平坦な側面１８および１９に対して垂直の方向で、互いから離れて移動させる。これにより、型が正確に各ブラシ毛の平面６において開き、その結果、ブラシ毛において生じる飛躍が容易に成形されることができ、成形時には困難は生じない。本発明による射出成形金型ないし本発明による方法はまさにこの点を特徴とする。この理由は、飛躍（この飛躍で、平面６がブラシ毛の双方の大きな側面中に移行されるが、この平面がブラシ毛を直接互いに連結する）の成形によって、この位置で型が分かれない場合には、困難が生じ、時折ブラシ毛が引きちぎられることになりうるからであるが、なぜならば、射出し終えたアプリケータを引き抜く際に、ブラシ毛がまだ十分に型凹部の壁から離すことができないからである。
【００７４】
凹部の双方の半片は、通例、鏡対称に等しく造形されるが、これにより製造が単純になる。
【符号の説明】
【００７５】
１  ブラシ毛
２  ブラシ毛の第１半片
３  ブラシ毛の第２半片
４  対称軸
５  ずれ面
６  ブラシ毛の平坦な領域
７  くぼみ
８  化粧品組成物
９  ブラシ毛担体
１０  異なるように造形されたブラシ毛
１１  結合部分
１２  柄
１３  ハンドル
１４  ブラシ毛縁
１５  ブラシ毛用凹部
１６  第１成形部品
１７  第２成形部品
１８  第１成形部品の平坦な側面
１９  第２成形部品の平坦な側面
Ｌ  ブラシ毛の長さ
ＦＤ  根元領域でのブラシ毛の最大の伸張
ＬＦ  ブラシ毛の基部の根元点
Ａ  ブラシ毛の弾性偏向
ＲＡ  半径
ＬＳ  縦軸、端面ブラシ毛
ＬＡ  縦軸、アプリケータ
【図１】
2019518529.tif 000003
【図２】
2019518529.tif 000004
【図２ａ】
2019518529.tif 000005
【図３】
2019518529.tif 000006
【図４ａ】
2019518529.tif 000007
【図４ｂ】
2019518529.tif 000008
【図５ａ】
2019518529.tif 000009
【図５ｂ】
2019518529.tif 000010
【図６】
2019518529.tif 000011
【図７】
2019518529.tif 000012
【国際調査報告】
2019518529.tif 000013
2019518529.tif 000014
2019518529.tif 000015
2019518529.tif 000016